【手続補正書】
【提出日】平成21年9月30日(2009.9.30)
【手続補正１】
【補正対象書類名】特許請求の範囲
【補正対象項目名】全文
【補正方法】変更
【補正の内容】
【特許請求の範囲】
【請求項１】
クライアント・ブラウザにおいてユーザが実行することを望む所望のサーチに関するユーザ入力を受け取るステップと、
前記ユーザ入力に応答して、複数の異なるデータ・プロバイダに対して関連するサーチを同時にスポーンし、それぞれの前記データ・プロバイダに個別のサーチ・リクエストを送出するステップと、
前記クライアント・ブラウザにおいて、前記複数の異なるデータ・プロバイダにおけるサーチからサーチ結果を受け取るステップと、
前記クライアント・ブラウザにおける単一のブラウザ・ウィンドウの中に、個別のブラウザ・タブとして、前記ユーザに対するサーチ結果のインディシアを表示するステップと、
を含み、それぞれの個別のブラウザ・タブが、個別のウェブ・ページを保持するための前記クライアント・ブラウザのユーザ・インターフェースの一部をなすことを特徴とする、コンピュータにおいて実現される方法。
【請求項２】
請求項１記載の方法において、前記データ・プロバイダはサーチ・プロバイダを含むことを特徴とする方法。
【請求項３】
請求項１記載の方法において、前記データ・プロバイダはサーチ・プロバイダを含み、前記サーチはインターネット上にスポーンされることを特徴とする方法。
【請求項４】
請求項１記載の方法において、関連するサーチをスポーンするステップは、クライアント・ブラウザによって実行されることを特徴とする方法。
【請求項５】
請求項１記載の方法において、それぞれの個別のタブが、前記クライアント・ブラウザにおいて個別のスレッドによって実行されることを特徴とする方法。
【請求項６】
請求項１記載の方法において、前記関連するサーチをスポーンする前に、それぞれの個別のデータ・プロバイダに対する適宜のＵＲＬを用意することを含む、複数の異なるサーチ・リクエストのうちの個別のサーチ・リクエストのための個別のＧＥＴリクエストを用意するステップを更に含むことを特徴とする方法。
【請求項７】
ユーザ入力に応答して複数の異なるサーチ・プロバイダを選択するステップと、
他の計算機からの入力とは独立したクライアント・ブラウザによって、前記複数の異なるサーチ・プロバイダに対する複数のサーチ・リクエストを用意するステップであって、それぞれのサーチ・リクエストが対応のサーチ・プロバイダに向けられているステップと、
ユーザ入力に応答して、前記複数の異なるサーチ・プロバイダに対してサーチを同時にスポーンするステップと、
前記サーチと関連するサーチ結果を単一のウィンドウの中の個別のタブとして提示するステップと、
を含み、個別のタブが各サーチ・プロバイダをナビゲートするよう選択されると、前記単一のブラウザ・ウィンドウのナビゲーション機能が前記サーチ・プロバイダと関連付けられることを特徴とする、コンピュータにおいて実現される方法。
【請求項８】
請求項７記載の方法において、前記選択するステップとスポーンするステップとは、ウェブ・ブラウザを介して受け取られるユーザ入力に応答して実行されることを特徴とする方法。
【請求項９】
請求項８記載の方法において、前記ユーザ入力はサーチ・ボックスを介して受け取られることを特徴とする方法。
【請求項１０】
請求項７記載の方法において、それぞれの個別のブラウザ・タブは前記クライアント・ブラウザにおける個別のスレッドによって実行されることを特徴とする方法。
【請求項１１】
請求項７記載の方法において、前記クライアント・ブラウザによって前記サーチ・リクエストを用意するステップが、データ・プロバイダに関連するネットワーク・アドレス情報のために前記クライアント・ブラウザを実行する計算機のレジストリを調べるステップを含むことを特徴とする方法。
【請求項１２】
請求項７記載の方法において、それぞれの個別のサーチ・プロバイダに対する適宜のＵＲＬを用意することを含む、複数の異なるサーチ・リクエストのうちの個別のサーチ・リクエストのための個別のＧＥＴリクエストを前記クライアント・ブラウザが用意するステップを更に含むことを特徴とする方法。
【請求項１３】
請求項７記載の方法において、前記単一のブラウザ・ウィンドウのナビゲーション機能が、ナビゲーション機能のツール・バーを含み、ナビゲーション機能の前記ツール・バーが、前記単一のブラウザ・ウィンドウの中に表示されたナビゲーション機能の唯一のツール・バーであることを特徴とする方法。
【請求項１４】
サーチ・タームを受け取るためのサーチ・ボックスを有するブラウザ・ウィンドウを提示するステップと、
ユーザ入力に応答して、複数の異なるデータ・プロバイダを選択するステップと、
前記サーチ・ボックスを介して前記ユーザからのサーチ基準を受け取るステップと、
前記選択されたデータ・プロバイダにおいて関連するサーチをスポーンするステップであって、それぞれの特定のデータ・プロバイダに対して構成された個別のサーチ・リクエスを送ることを含むステップと、
前記複数の異なるデータ・プロバイダに関連する複数のタブを開くステップと、
前記複数の異なるデータ・プロバイダのそれぞれからのサーチ結果を前記の開かれたタブの１つと関連付けるステップと、
前記ブラウザ・ウィンドウの中のユーザ・セクションに対して前記複数のタブを表示するステップと、
を含むことを特徴とする、コンピュータにおいて実現される方法。
【請求項１５】
請求項１４記載の方法において、前記データ・プロバイダはサーチ・プロバイダを含むことを特徴とする方法。
【請求項１６】
請求項１４記載の方法において、前記データ・プロバイダはサーチ・プロバイダを含み、前記サーチはインターネット上にスポーンされることを特徴とする方法。
【請求項１７】
請求項１４記載の方法において、前記スポーンするステップは、マルチスレッド型のアプローチを用いてスポーンするステップを含むことを特徴とする方法。
【請求項１８】
請求項１４記載の方法において、前記データ・プロバイダはサーチ・プロバイダを含み、前記開くステップは、選択されているそれぞれの個別のサーチ・プロバイダに対するタブを開くステップを含むことを特徴とする方法。
【請求項１９】
請求項１４記載の方法において、タブを選択してデータ・プロバイダをナビゲートするときに、単一のウェブ・ブラウザの１組のナビゲーション機能が、表示されているデータ・プロバイダと関連付けられることを特徴とする方法。
【請求項２０】
ユーザ入力に応答して、複数の異なるデータ・プロバイダを選択するステップと、
他の計算機からの入力とは独立したクライアント・ブラウザによって、前記複数の異なるサーチ・プロバイダに対する複数のサーチ・リクエストを用意するステップであって、それぞれのサーチ・リクエストが対応のサーチ・プロバイダに個別に向けられているステップと、
ユーザ入力に応答して、前記複数の異なるサーチ・プロバイダに対してサーチを同時にスポーンするステップであって、個別のサーチ・リクエストが各データ・プロバイダに送出されるステップと、
前記サーチと関連するサーチ結果を単一のウィンドウの中の個別のタブとして提示するステップであって、個別のタブが単一のサーチ・プロバイダからのサーチ結果を含むステップと、
を備える方法
を実行する計算機によって実行可能な命令を記憶した計算機読み取り可能媒体。